(57)【要約】【課題】ＩＤカードの発行を効率化する。【解決手段】携帯端末は、画像を表示する表示部と、ユーザの操作による入力を受け付ける入力部と、ＩＤカードに対応するモデルＩＤカードの画像データと、前記ＩＤカードに関連付けられた複数の項目を含む真贋判定ガイダンスのデータと、を記憶する記憶部と、前記入力部に入力された操作に応じて、前記表示部の表示を制御する制御部と、前記制御部は、前記表示部の第１の領域にモデルＩＤカードと前記ＩＤカードに関連付けられた複数の項目を含む真贋判定ガイダンスを表示させるとともに、前記表示部の第２の領域に真贋判定されるＩＤカードを載置する範囲を表示させる。【選択図】図１
2015191544.tif 000002
【特許請求の範囲】
【請求項１】
画像を表示する表示部と、
ユーザの操作による入力を受け付ける入力部と、
ＩＤカードに対応するモデルＩＤカードの画像データと、前記ＩＤカードに関連付けられた複数の項目を含む真贋判定ガイダンスのデータと、を記憶する記憶部と、
前記入力部に入力された操作に応じて、前記表示部の表示を制御する制御部と、、を備え、
前記制御部は、
前記表示部の第１の領域にモデルＩＤカードと前記ＩＤカードに関連付けられた複数の項目を含む真贋判定ガイダンスを表示させるとともに、前記表示部の第２の領域に真贋判定されるＩＤカードを載置する範囲を表示させる
ことを特徴とする携帯端末。
【請求項２】
前記制御部は、
前記表示部に、前記複数の項目のうち確認すべき項目を指示する旨を表示させることを特徴とする請求項１に記載の携帯端末。
【請求項３】
前記制御部は、
前記入力部に入力された操作に応じて、前記複数の項目のうち確認すべき項目を指示する旨の表示を順番に切り換える
ことを特徴とする請求項２に記載の携帯端末。
【請求項４】
前記制御部は、
前記入力部に、前記複数の項目の内容が前記ＩＤカードに記載された項目の内容とすべて同じである旨の操作の入力があった場合には、前記表示部に、前記ＩＤカードが本物である旨の表示をさせる
ことを特徴とする請求項１から３のいずれか一項に記載の携帯端末。
【請求項５】
前記制御部は、
前記入力部に、前記複数の項目の内容が前記ＩＤカードに記載された項目の内容と何れかが異なる旨の操作の入力があった場合には、前記表示部に、前記ＩＤカードが偽物である旨の表示をさせる
ことを特徴とする請求項１から４のいずれか一項に記載の携帯端末。
【請求項６】
前記制御部は、
前記表示部の前記第２の領域のみバックライトを点灯させることを特徴とする請求項１に記載の携帯端末。
【請求項７】
前記制御部は、
前記表示部に、内部アンテナの画像を含めて前記モデルＩＤカードを表示させる
ことを特徴とする請求項６に記載の携帯端末。
【請求項８】
前記制御部は、
前記表示部に、ＩＣチップの画像を含めて前記モデルＩＤカードを表示させる
ことを特徴とする請求項６に記載の携帯端末。
【請求項９】
外光の少なくとも一部を遮蔽するように、前記ＩＤカードの周囲を囲う外光遮蔽フードが配置される
ことを特徴とする請求項６から８のいずれか一項に記載の携帯端末。
【請求項１０】
前記表示部および前記入力部は、タッチパネルであることを特徴とする請求項１に記載の携帯端末。
【請求項１１】
前記携帯端末は、タブレット端末であることを特徴とする請求項１に記載の携帯端末。
【発明の詳細な説明】
【技術分野】
【０００１】
本発明は、従業員証や身分証明書などのＩＤカードの認証をする携帯端末に関するものである。
【背景技術】
【０００２】
近年、保険加入の説明、手続きなどにタブレット端末などの携帯端末を使ったガイダンスを行っている。
【０００３】
そして、保険加入する場合に、本人確認が必要となり免許証や顔画像付き住民基本台帳カード、在留カードなどが用いられるが、それらのＩＤカードの真贋判定を行う必要がある。
【０００４】
ここで、例えば、カード券面やカード透かしを真贋判定に用いる認証識別カードや、ユーザを識別する携帯端末がある（例えば、特許文献）。
【０００５】
しかし、上記従来技術では、ユーザがＩＤカードのどの部分をチェックすればよいかの明示的な指示等についての記載はなく、ＩＤカードの真贋判定が煩雑になり、ユーザの利便性に問題がある。
【先行技術文献】
【特許文献】
【０００６】
【特許文献１】特開平０７−２９９９７７号公報
【特許文献２】特開２０１３−１１４６１３号公報
【発明の概要】
【発明が解決しようとする課題】
【０００７】
既述のように、従来の認証技術は、ＩＤカードの認証の際にユーザの利便性に問題がある。
【０００８】
本発明は、このような課題を解決し得る携帯端末を提供することを目的とする。
【課題を解決するための手段】
【０００９】
本発明の一態様による携帯端末は、
画像を表示する表示部と、
ユーザの操作による入力を受け付ける入力部と、
ＩＤカードに対応するモデルＩＤカードの画像データと、前記ＩＤカードに関連付けられた複数の項目を含む真贋判定ガイダンスのデータと、を記憶する記憶部と、
前記入力部に入力された操作に応じて、前記表示部の表示を制御する制御部と、を備え、
前記制御部は、
前記表示部の第１の領域にモデルＩＤカードと前記ＩＤカードに関連付けられた複数の項目を含む真贋判定ガイダンスを表示させるとともに、前記表示部の第２の領域に真贋判定されるＩＤカードを載置する範囲を表示させる
ことを特徴とする。
【００１０】
前記携帯端末において、
前記制御部は、
前記表示部に、前記複数の項目のうち確認すべき項目を指示する旨を表示させることを特徴とする。
【００１１】
前記携帯端末において、
前記制御部は、
前記入力部に入力された操作に応じて、前記複数の項目のうち確認すべき項目を順番に切り換える
ことを特徴とする。
【００１２】
前記携帯端末において、
前記制御部は、
前記入力部に、前記複数の項目の内容が前記ＩＤカードに記載された項目の内容とすべて同じである旨の操作の入力があった場合には、前記表示部に、前記ＩＤカードが本物である旨の表示をさせる
ことを特徴とする。
【００１３】
前記携帯端末において、
前記制御部は、
前記入力部に、前記複数の項目の内容が前記ＩＤカードに記載された項目の内容と何れかが異なる旨の操作の入力があった場合には、前記表示部に、前記ＩＤカードが偽物である旨の表示をさせる
ことを特徴とする。
【００１４】
前記携帯端末において、
前記制御部は、
前記表示部の前記第２の領域のみバックライトを点灯させることを特徴とする。
【００１５】
前記携帯端末において、
前記制御部は、
前記表示部に、内部アンテナの画像を含めて前記モデルＩＤカードを表示させる
ことを特徴とする。
【００１６】
前記携帯端末において、
前記制御部は、
前記表示部に、ＩＣチップの画像を含めて前記モデルＩＤカードを表示させる
ことを特徴とする。
【００１７】
前記携帯端末において、
外光の少なくとも一部を遮蔽するように、前記ＩＤカードの周囲を囲う外光遮蔽フードが配置される
ことを特徴とする。
【発明の効果】
【００１８】
実際のＩＤカードと携帯端末の画面に表示されたガイダンスとを照らし合わせて、真贋判定のチェックができるため、偽変造技術に詳しくない人でも簡単に確認が出来る。
【００１９】
本発明によれば、ＩＤカードの認証の際にユーザの利便性の向上を図ることができる。
【図面の簡単な説明】
【００２０】
【図１】図１は、本実施形態による携帯端末１００の概略構成の一例を示すブロック図である。
【図２】図２は、ＩＤカード１０の構成の一例を示す図である。
【図３】図３は、図１に示す携帯端末１００の操作時における表示構成の一例を示す図である。
【図４】図４は、図１に示す携帯端末１００の操作時における表示構成の他の例を示す図である。
【図５】図５は、携帯端末１００に外光遮蔽フードが配置された構成の一例を示す斜視図である。
【発明を実施するための形態】
【００２１】
以下、本発明の実施の形態を図面に基づいて説明する。
【００２２】
図１は、本実施形態による携帯端末１００の概略構成の一例を示すブロック図である。
【００２３】
図１に示すように、携帯端末１００は、表示部Ｄと、入力部Ｉと、記憶部Ｍと、制御部Ｃと、を備えている。この携帯端末１００は、例えば、タブレット端末である。
【００２４】
表示部Ｄは、画像や映像等を表示する。本実施の形態では、この表示部Ｄは、主に液晶ディスプレイ（Liquid Crystal Display；ＬＣＤ）を想定しているが、表示機能を有する装置（特に、フラットパネルディスプレイ）でありさえすればハードウェアの種類は限定されない。例えば、プラズマディスプレイ（Plasma Display Panel；ＰＤＰ）やＥＬ（Electroluminescence）ディスプレイなどの表示素子と、制御部Ｃから入力を受けた表示用データに基づいて表示素子を駆動するドライバ回路とを備える装置等で構成できる。
【００２５】
入力部Ｉは、ユーザの操作による入力を受け付ける。本実施の形態では主にマルチタッチを検出可能なタッチパネルを想定している。ただし、ユーザによる操作で情報の入力が可能な入力面を備えてさえいれば（すなわち、当該入力面は入力部Ｉに含まれる）、ハードウェアの種類は限定されない。
【００２６】
なお、本実施形態では、表示部Ｄおよび入力部Ｉは、タッチパネルで構成される。
【００２７】
記憶部Ｍは、ＩＤカードに対応するモデルＩＤカードの画像データ、ＩＤカードに関連付けられた複数の項目を含む真贋判定ガイダンスのデータ、その他の携帯端末１００の動作に必要な情報を記憶する。
【００２８】
制御部Ｃは、入力部Ｉに入力された操作に応じて、記憶部Ｍに記憶された情報を読み出して、表示部Ｄの表示を制御するようになっている。
【００２９】
ここで、図２は、ＩＤカード１０の構成の一例を示す図である。このＩＤカード１０は、例えば、従業員証、入館証、身分証明書、又は資格証明証等である。
【００３０】
例えば、図２に示すように、ＩＤカード１０は、表面１２に個人情報である複数の項目（例えば、氏名、住所、年齢等）１２ａ及び顔画像１２ｂが印字されている。また、ＩＤカード１０は、ＩＣチップ１０ａと、このＩＣチップ１０ａに接続されたアンテナ１０ｂを含む。なお、このＩＣチップ１０およびアンテナ１０ｂは、ＩＤカード１０の内部に配置されており、表面１２には露出していないため（図２においては点線で表記）、外部からは直接見えないようになっている。
【００３１】
次に、以上のような構成を有する携帯端末１００の動作の一例について説明する。ここでは、携帯端末１００を用いた保険加入説明ガイダンス機能の中に、真贋判定用ガイダンスを組み込んだ場合について説明する。
【００３２】
図３は、図１に示す携帯端末１００の操作時における表示構成の一例を示す図である。また、図４は、図１に示す携帯端末１００の操作時における表示構成の他の例を示す図である。また、図５は、携帯端末１００に外光遮蔽フードが配置された構成の一例を示す斜視図である。
【００３３】
先ず、ユーザが、携帯端末１００を起動させて、表示部Ｄにカード真贋判定ガイダンスを表示させる。
【００３４】
そして、例えば、図３に示すように、制御部Ｃは、表示部Ｄの第１の領域ＤｘにモデルＩＤカード１０ｘとＩＤカード１０に関連付けられた複数の項目１２Ｘａを含む真贋判定ガイダンスＧ１、Ｇａを表示させるとともに、表示部Ｄの第２の領域Ｄａに真贋判定されるＩＤカード１０を載置する範囲を表示させる。
【００３５】
特に、制御部Ｃは、表示部Ｄに、複数の項目１２Ｘａのうち確認すべき項目（図３の例では氏名）を指示する旨（(1)氏名が○○○なことを確認してください）Ｇ１を表示させる。さらに、制御部Ｃは、表示部Ｄに、氏名の部分を指示する矢印Ｇ１ａを表示させる。
【００３６】
そして、制御部Ｃは、入力部Ｉに入力された操作に応じて、複数の項目１２Ｘａのうち確認すべき項目を指示する旨の表示を順番に切り換える。
【００３７】
このように、携帯端末１００の画面にカードデザイン画像を表示し、順番にチェックする箇所を表示する。
【００３８】
さらに、図４に示すように、制御部Ｃは、表示部Ｄの第１の領域ＤｘにモデルＩＤカード１０ｘとＩＤカード１０に関連付けられた複数の項目１２Ｘａを含む真贋判定ガイダンスＧ２、Ｇａを表示させるとともに、表示部Ｄの第２の領域Ｄａに真贋判定されるＩＤカード１０を載置する範囲を表示させる。
【００３９】
特に、制御部Ｃは、表示部Ｄに、複数の項目１２Ｘａのうち確認すべき項目（図４の例ではＩＣチップ）を指示する旨（(2)矢印にＩＣチップがあることを確認してください）Ｇ２を表示させる。さらに、制御部Ｃは、表示部Ｄに、ＩＣチップ１０Ｘａの部分を指示する矢印Ｇ１ａを表示させる。
【００４０】
このとき、図４に示すように、制御部Ｃは、表示部Ｄに、ＩＣチップの画像を含めてモデルＩＤカード１０Ｘを表示させる。さらに、制御部Ｃは、表示部Ｄに、内部アンテナの画像を含めてモデルＩＤカード１０Ｘを表示させるようにしてもよい。
【００４１】
ここで、家屋の蛍光灯や、携帯端末１００に内蔵のフラッシュを点灯し透かし画像を見ることもできるが、携帯端末１００に表示されている真贋判定用ガイダンスを同時に見ることが困難な場合がある。
【００４２】
そこで、制御部Ｃは、表示部Ｄの第２の領域Ｄａのみバックライトを点灯させるようにしてもよい（図４）。
【００４３】
これにより、表示部Ｄの画面で比較しながら、ＩＣチップ１０ａやアンテナ１０ｂの確認が容易にできる。
【００４４】
そして、例えば、制御部Ｃは、入力部Ｉに、複数の項目１２Ｘａの内容（ＩＣチップ１０Ｘａ、アンテナ１０Ｘｂの位置）がＩＤカード１０に記載された項目１２ａの内容（ＩＣチップ１０ａ、アンテナ１０ｂの位置）とすべて同じ（入力部（“ＯＫ”）Ｉ１の操作）である旨の操作の入力があった場合には、表示部Ｄに、ＩＤカード１０が本物である旨の表示をさせるようにしてもよい。
【００４５】
このように、全ての項目が「OK」となった場合に、ＩＤカード１０が真正であると判断することができる（図３、図４）。
【００４６】
一方、制御部Ｃは、入力部Ｉに、複数の項目１２Ｘａの内容（ＩＣチップ１０Ｘａ、アンテナ１０Ｘｂの位置）がＩＤカード１０に記載された項目の内容（ＩＣチップ１０Ｘａ、アンテナ１０Ｘｂの位置）と何れかが異なる旨の操作（入力部（“ＮＧ”）Ｉ２の操作）の入力があった場合には、表示部Ｄに、ＩＤカード１０が偽物である旨、又は本物ではない可能性がある旨、の表示をさせるようにしてもよい。
【００４７】
なお、図５に示すように、外光の少なくとも一部を遮蔽するように、ＩＤカード１０の周囲を囲う外光遮蔽フードＦが配置されるようにしてもよい。
【００４８】
これにより、外光等で透かし画像が見えにくい場合に、外光遮蔽フードＦでＩＤカード１０を囲い透過デザイン（ＩＣチップ１０ａやアンテナ１０ｂ）を見えやすくすることができる。
【００４９】
以上のように、実際のＩＤカードと携帯端末１００の画面に表示されたガイダンスとを照らし合わせて、真贋判定のチェックができるため、偽変造技術に詳しくない人でも簡単に確認ができる。
【００５０】
すなわち、本実施形態に係る携帯端末１００によれば、ＩＤカードの認証の際にユーザの利便性の向上を図ることができる。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５２】
１００  携帯端末
Ｄ  表示部
Ｉ  入力部
Ｍ  記憶部
Ｃ  制御部
【図１】
2015191544.tif 000003
【図２】
2015191544.tif 000004
【図３】
2015191544.tif 000005
【図４】
2015191544.tif 000006
【図５】
2015191544.tif 000007